(57)【特許請求の範囲】
【請求項１】
バンプ電極が設けられたチップ素子を樹脂容器の空洞内に封止する電子部品の製造方法において、
(1)樹脂基材の少なくとも片面に導体パターンが設けられた実装基板の該導体パターンに前記チップ素子をバンプ実装する第一のステップと、
(2)前記実装基板上に第一の接着層を挟んで前記チップ素子と所定の間隔を隔てた内壁を形成する窓が開設された枠状樹脂基材からなる中間基板を重ねる第二のステップと、
(3)前記中間基板上に第二の接着層を挟んで前記窓を覆う樹脂基材からなる蓋基板を重ねる第三のステップと、
(4)前記中間基板を間に挟んだ前記実装基板と前記蓋基板の厚み方向に外側から加圧しかつ一度に加熱して、これらの実装基板、中間基板及び蓋基板を密着して内部に前記窓の内壁で画成された空洞を封止形成する第四のステップとを有し、
前記中間基板を間に挟んだ前記実装基板と前記蓋基板の厚み方向の加圧を、前記窓を設けた領域に圧力が加わらないように行うことを特徴とする電子部品の製造方法。
【請求項２】
バンプ電極が設けられたチップ素子を樹脂容器の空洞内に封止する電子部品の製造方法において、
(1)樹脂基材の少なくとも片面に導体パターンが設けられた実装基板の該導体パターンに前記チップ素子をバンプ実装する第一のステップと、
(2)前記実装基板上に第一の接着層を挟んで前記チップ素子と所定の間隔を隔てた内壁を形成する窓が開設された枠状樹脂基材からなる中間基板を重ねる第二のステップと、
(3)前記中間基板上に第二の接着層を挟んで前記窓を覆う樹脂基材からなる蓋基板を重ねる第三のステップと、
(4)前記中間基板を間に挟んだ前記実装基板と前記蓋基板の厚み方向に外側から加圧しかつ一度に加熱して、これらの実装基板、中間基板及び蓋基板を密着して内部に前記窓の内壁で画成された空洞を封止形成する第四のステップとを有し、
前記中間基板を間に挟んだ前記実装基板と前記蓋基板の厚み方向の加圧を、前記中間基板の枠状部分に対応する桟が表面に突設された押当板を用いて行うことを特徴とする電子部品の製造方法。
【発明の詳細な説明】
【０００１】
【発明の属する技術分野】
本発明は、チップ素子を樹脂容器の空洞の内部に封止して構成される電子部品の製造方法に関する。
【０００２】
【従来の技術】
近年、携帯電話やパソコン等、各種の電子機器の小型化と高性能化が進んでいる。それに伴って、電子部品にも、プリント基板上に多数の裸チップ素子（ベアチップ）を直接実装するチップオンボード実装方式等のさまざまな高密度実装に柔軟に対応できる小型化と高信頼性の実現、低廉化等が要求されている。
【０００３】
同時に、電子機器に使用される電子部品も、従来のような抵抗やコンデンサ、コイル、あるいは半導体素子だけでなく、例えば、強誘電性の圧電単結晶基板等のような機械的に脆弱な素材を用いる電気光学素子や表面弾性波素子等も包含して多様化している。そして、このような電子部品の多様化の中にあって、電子部品には、共通して標準化への対応を配慮しながら最適なパッケージングを行って表面保護を実現することが極めて重要になっている。特に、上記のように最近では電子部品に用いられる素材も多様化しているので、従来の受動素子やトランジスタ等のようにシリコーン系の樹脂やエポキシ系の樹脂で表面を直接に覆って封止するような粗っぽい方法では、熱応力や機械的衝撃に耐えられず、十分な信頼性が確保できない状況にある。
【０００４】
このため、機械的に脆弱な素材を用いる電気光学素子や表面弾性波素子等を包含する電子部品では、例えば樹脂容器の内部に空洞を設け、空洞の内部にチップを実装する方法が採られている。
【０００５】
図６は表面弾性波素子を例として従来の電子部品の構造を示す斜視図である。最初に樹脂基板３１上にチップ素子３２を実装する。その後、樹脂基板３１の上面の周辺部に接着剤を塗布または接着シート層を挟み、チップ素子３２の周囲に枠３３を正確に位置合わせをして重ね、そのうえで加圧しながら第一回目の加熱接着を行って樹脂基板３１上に枠３３を接着する｛図６（Ａ）｝。ついで、枠３３の上端から接着剤の流れだしや接着剤の塗り漏れがないように細心の注意を払いながら枠３３の上面に接着剤等を設け、蓋３４を枠３３に載せ、再度加圧しながら第二回目の加熱接着を行う｛図６（Ｂ）｝。このように、二度の加圧と加熱を加える接着工程を経て、空洞３５の内部にチップ素子３２を収める樹脂容器３０を形成して電子部品を製造していた。
【０００６】
なお、上記の例で平板状の樹脂基板をサンドイッチ状に数層も重ねるようにするのは、製造コストの低廉化を図るためであり、このような例は特開平２−１７９０１８号公報にも見ることができる。また、上記の従来技術では、樹脂基板３１上にチップ素子３２を実装した後、枠３３を接着する例を示したが、樹脂基板３１上に枠３３を接着して凹部を形成した後、その凹部にチップ素子３２を実装する例もある。
【０００７】
【発明が解決しようとする課題】
しかしながら、上記の従来技術によれば、樹脂基板を重ねる都度、それぞれの接着位置を正確に合わせなければならない。このため、更なる電子部品の小型化を図る場合には、基板を重ねる毎に基板同士の相対位置や接着剤や接着層の位置等を高精度に位置決めすることが必要になり、生産性が悪く、作業コストが高くなるという問題があった。
【０００８】
また、一般に樹脂基板は加熱したり加圧すると塑性変形を生じ易く、樹脂基板を加圧しながら加熱する接着工程を重ねると、変形量が累積して高精度な位置合わせが困難になるばかりでなく、封止特性が悪くなり、リークを生じ易くなって信頼性が低下する。とりわけ、樹脂基板同士の接着にプリプレグや接着樹脂を用いる場合には、一旦接着したプリプレグや接着樹脂であっても、その後に再び押圧と熱を加えることにより軟化したり変形するので、既に樹脂成分が滲み出したり樹脂容器が変形して歪む。あるいは、樹脂成分の一部がガス化して樹脂容器の内部に篭もり、チップ素子の表面に付着して汚染する等の問題があった。
【０００９】
本発明は、上記の従来の技術が有していた問題点を解決し、小型化が容易で低廉性を備え、しかも信頼性に優れた電子部品の製造方法を提供することを目的としている。
【００１０】
本発明のその他の目的や新規な特徴は後述の実施の形態において明らかにする。
【００１１】
【課題を解決するための手段】
上記目的を達成するために、本願第１発明に係る電子部品の製造方法は、バンプ電極が設けられたチップ素子を樹脂容器の空洞内に封止する場合において、
(1)樹脂基材の少なくとも片面に導体パターンが設けられた実装基板の該導体パターンに前記チップ素子をバンプ実装する第一のステップと、
(2)前記実装基板上に第一の接着層を挟んで前記チップ素子と所定の間隔を隔てた内壁を形成する窓が開設された枠状樹脂基材からなる中間基板を重ねる第二のステップと、
(3)前記中間基板上に第二の接着層を挟んで前記窓を覆う樹脂基材からなる蓋基板を重ねる第三のステップと、
(4)前記中間基板を間に挟んだ前記実装基板と前記蓋基板の厚み方向に外側から加圧しかつ一度に加熱して、これらの実装基板、中間基板及び蓋基板を密着して内部に前記窓の内壁で画成された空洞を封止形成する第四のステップとを有し、
前記中間基板を間に挟んだ前記実装基板と前記蓋基板の厚み方向の加圧を、前記窓を設けた領域に圧力が加わらないように行うことを特徴としている。
【００１３】
また、本願第２発明に係る電子部品の製造方法は、バンプ電極が設けられたチップ素子を樹脂容器の空洞内に封止する場合において、
(1)樹脂基材の少なくとも片面に導体パターンが設けられた実装基板の該導体パターンに前記チップ素子をバンプ実装する第一のステップと、
(2)前記実装基板上に第一の接着層を挟んで前記チップ素子と所定の間隔を隔てた内壁を形成する窓が開設された枠状樹脂基材からなる中間基板を重ねる第二のステップと、
(3)前記中間基板上に第二の接着層を挟んで前記窓を覆う樹脂基材からなる蓋基板を重ねる第三のステップと、
(4)前記中間基板を間に挟んだ前記実装基板と前記蓋基板の厚み方向に外側から加圧しかつ一度に加熱して、これらの実装基板、中間基板及び蓋基板を密着して内部に前記窓の内壁で画成された空洞を封止形成する第四のステップとを有し、
前記中間基板を間に挟んだ前記実装基板と前記蓋基板の厚み方向の加圧を、前記中間基板の枠状部分に対応する桟が表面に突設された押当板を用いて行うことを特徴としている。
【００１４】
上記発明方法によれば、第一のステップでは実装基板上には他に接着された基板等の障害がないのでチップ素子の実装位置決めとフェースダウンボンディングが容易になり、第二乃至第三のステップでは実装基板と中間基板、蓋基板及びこれらの間に挟まれる第一と第二の接着層は何れもが未だ固着していないので容易かつ高精度な相互の位置決め調整ができ、第四のステップでは樹脂だけでなくチップ素子に対しても、熱履歴やストレスを最小限に抑えることができる。
【００１６】
【発明の実施の形態】
以下、本発明に係る電子部品の製造方法の実施の形態を図面に従って説明する。
【００１７】
図１乃至図４で本発明に係る電子部品の製造方法の実施の形態を説明する。図１は表面弾性波素子を例とした電子部品の構造を示す斜視図、図２は同じく断面図であり、図３は製造工程図、図４は製造過程で用いる押当板を示す斜視図である。なお、以下の図１、図２の説明では電子部品一個の構造を図示するが、その中間工程では左右前後に連続した親基板状態で製造され、最終的に切断分離されて一個の電子部品が形成されるものである。
【００１８】
図１及び図２において、エポキシ樹脂やＢＴ樹脂等からなる実装基板１の片面には、チップ素子としての表面弾性波素子チップ（ＳＡＷチップ）２がバンプ３を介してフェースダウンボンディングによって実装される導体パターン４が設けられている。導体パターン４は、銅箔パターンの一部または全部の表面が半田やニッケル、金等のメッキ層で覆われている。さらに、実装基板１に重なって、中間基板５が設けられており、中間基板５には、チップ２から所定の間隔を隔てた内壁１５を形成する窓６が開設されている。そして、中間基板５の窓６を覆うように蓋基板７が設けられている。しかして、これらの基板１，５，７が下記の接着層により接着されて樹脂容器１０が形成され、樹脂容器１０の内部には表面弾性波チップ２を収容する空洞１４が形成されている。
【００１９】
これらの実装基板１、中間基板５及び蓋基板７はいずれもが実質的に同じ熱膨張係数を有する樹脂基材から形成されており、同一の樹脂基板から形成されているのが望ましい。そして、実装基板１と中間基板５の間には、第一の接着層８が挟まれており、中間基板５と蓋基板７の間には第二の接着層９が挟まれている。これらの第一の接着層８と前記第二の接着層９は、中間基板５を間に挟んで実装基板１と蓋基板７の厚み方向に一度に加熱圧着されている。これらの第一の接着層８と第二の接着層９は、いずれもが実装基板１と中間基板５と蓋基板７と、基本的には同じ材質であり、しかも実装基板１と中間基板５と蓋基板７に対して良好な接着性を持つ接着性樹脂から選ばれることが望ましい。
【００２０】
なお、接着層８、９が接着する基板１，５，７の接着面は、必要最小限の導体パターンを除いて、導体等で覆われずに露出した樹脂基材の樹脂面であることが好ましい。特に中間基板５と蓋基板７の接着面は、導体パターンにより覆われずに樹脂面が露出し、接着層により両基材が接着される。これは、空洞の樹脂封止を完全にする上でも必要である。
【００２１】
また、導体パターン４の表面に接着層が接着して重なる場合には、銅箔パターンを形成する銅箔の表面や銅やニッケル等のメッキの上面を粗化することにより、接着層がこれらの粗面化された接着界面に対してアンカー効果を発揮しやすくすることにより、接着強度の向上を図っても良い。この場合、上記の粗化の方法や粗化された表面の形状によっては、導体パターンにより覆われずに露出した樹脂面に接着層を接着させるよりも、導体パターンの表面に接着層を接着させる方が高強度の接着が期待できる場合もある。
【００２２】
次に、この発明の製造方法を図３及び図４を参照して説明する。図３は図１及び図２に示した電子部品の製造工程を示すフローチャートである。まず、第一のステップ＃１では、実装基板１の片面の導体パターン４にチップ素子としての表面弾性波素子チップ２をバンプ実装する。次いで、第二のステップ＃２では、実装基板１上に第一の接着層８を挟んで中間基板５を重ねる。さらに、第三のステップ＃３では、中間基板５上に第二の接着層９を挟んで窓６を覆う蓋基板７を重ねる。その後、第四のステップ＃４では、中間基板５を間に挟んだ実装基板１と蓋基板７の厚み方向の外側から押圧を加えて一度に加熱し、これらの実装基板１と中間基板５、中間基板５と蓋基板７を接着層によって同時に接着し、樹脂容器の内部に空洞を封止形成する。
【００２３】
図４は、第四のステップ＃４において、実装基板１、中間基板５、蓋基板７（但し、各基板はいずれも切断前の親基板状態）を厚み方向に押圧しながら加熱して樹脂容器を接着するために用いられる押当板２０の構造を示す斜視図である。中間基板５を間に挟んだ実装基板１と蓋基板７との厚み方向の押圧は、中間基板５の窓６を除いた枠部分に対応する桟２１が表面に突設された押当板２０を用いて行う。これによれば、接着層を用いて実装基板１と中間基板５と蓋基板７とを積層接着する際に、中間基板５の窓部分には余分な押圧力が加わらない。つまり、空洞内のチップ２のバンプ実装領域及びその周辺には圧力が加わらない。その結果、実装基板１上に固着実装されたバンプ３が接着時の押圧により離れてしまう等の問題が起こることを防ぐことができる。
【００２４】
なお、図４では押当板２０を上下に用いたが、いずれか一方のみとすることもできる。また図４では、樹脂容器の接着に用いる押当板２０は中間基板の窓を除いた枠部分に対応するように表面に凹凸形状が加工され、桟が形成された平板状のものとして示したが、これに限られず、単に穴加工した板でもよいし、あるいは平板全体に多少の曲面を持たせることによって最適な押圧ができるようにした板でも良い。
【００２５】
いずれにせよ、この押当板を用いる目的は、中間基板５の窓を設けた領域（チップのバンプ実装領域及びその周辺部）に余分な押圧力が加わらないようにすることによって実装基板を変形させない様にすることであり、窓を設けた領域に余分な押圧力が加わらない手段であるならば、必ずしも押当板が実装基板１や蓋７に直接接触しなくても良い。例えば、接着剤が滲み出して押当板と接着剤が接着してしまうような場合には、離型フィルムを間に挟んでも良いことはもちろんである。また、押当板の圧力をより均一化するために、紙クッション等を挟んでも良い。つまり、押当板と実装基板１や蓋基板７との間に挟んだ材料が加熱と加圧で変形することによって、窓部分に余分な押圧力が加わるような材料、または構造でなければ、どのような手段を用いても良い。
【００２６】
【実施例】
次に、本発明に係る電子部品を図５の実施例を用いて更に具体的に説明する。本実施例の実装基板１はチップ素子としてのＳＡＷチップ２をフェースダウン実装する基板として用いられている。すなわち、実装基板１上の導体パターン４の一部分にはメッキ層によってパッド４１が形成され、パッド４１上にはチップ２が実装されている。実装基板１上には第一の接着層としてのプリプレグ８によって中間基板５が接着されており、さらに、チップ２を覆うように蓋基板７が第二の接着層としてのプリプレグ９によって中間基板５上に接着され、樹脂容器の内部空間として形成された空洞にはチップ２が封止されている。なお、導体パターン４に接続している外部接続用電極４２が実装基板１の側面等に設けられている。
【００２７】
実装基板１、中間基板５及び蓋基板７の樹脂基材としては、三菱ガス化学（株）製のＢＴ樹脂基材（ＣＣＬ−ＨＬ８３０）が使われている。実装基板１の上面には、厚さが１８μｍの銅箔からなる導体パターン４が積層されている。パッド４１を形成するメッキ層は厚さが１０μｍの銅メッキ層、厚さが５μｍのニッケルメッキ層、厚さが１μｍの金メッキ層を順次に積層した多層メッキからなっている。チップ２の裏面には、径が１００μｍの金製のバンプ３が取り付けられており、バンプ３を用いて超音波ボンディングによりチップ２がパッド４１上にフェースダウンボンディングされている。
【００２８】
窓６を持つ中間基板５の上端面は樹脂基材が露出しており、プリプレグ９によって厚さが０．２ｍｍのＢＴ樹脂（三菱ガス化学（株）製；ＣＣＬ−ＨＬ８３０）からなる蓋基板７が接着されている。蓋基板７は平面状の樹脂基板であり、裏面は樹脂基材が露出してプリプレグ９との接着性を高めている。なお、蓋基板７の上面に導体層を設けてシールド作用をもたせることも可能である。
【００２９】
また、上記のプリプレグ８、９には、樹脂基材と同様な特性を有する厚さが６０μｍの三菱ガス化学（株）製のＢＴ樹脂ＧＨＰＬ−８３０ＮＦを用いた。プリプレグと実装基板１、中間基板５、蓋基板７の接着硬化は、３０ｋｇ／ｃｍ２の加圧を加えながら２０Ｔｏｒｒ程度の減圧雰囲気下で２００℃／２時間加熱することによった。これによれば、プリプレグから流れ出す流動性の高い成分の粗面上での広がりは約３００μｍの範囲内に収めることができた。
【００３０】
ＳＡＷチップは圧電材料の表面弾性波特性を利用するため、流れ出したプリプレグ等がＳＡＷチップに触れると、素子特性が極端に悪くなる。本発明の上記の実施例によれば、一度の押圧と加熱によって樹脂基板、中間基板、蓋基板を同時に接着し、内部に空洞を封止した樹脂容器を形成できる。しかも、本発明の上記実施例に比べ、実装基板と中間基板を先に接着してからチップを実装する場合には、プリプレグの流れ出し量を十分に考慮した大きなクリアランスを必要とするので電子部品の形状の小型化には適さない。この面からも本発明は小型化に有利である。
【００３１】
また、本発明は実装基板、中間基板、蓋基板を一度の接着工程で同時に接着することを特徴にしている。このため、本発明によれば、別々に接着した場合（即ち、蓋基板と中間基板あるいは中間基板と実装基板を別々に順次の接着工程で接着する）に比べて、接着のときに発生する硬化ガス等が、中間基板表面に付着することで汚染が生じてその後の接着性が低下するといった問題も無くなるという優れた効果がある。
【００３２】
さらに、加熱接着する際には、空洞内部の膨張する空気が、積層されたこれらの基板の上下の突き合わせ面から同時に逃すことができるので、蓋基板と中間基板あるいは中間基板と実装基板を別々に接着した後に最終的に接着して空洞を密封シールする場合に比べて、接着後の気密性も良くなる。
【００３３】
さらにまた、熱ショックに敏感な半導体素子や圧電材料、イオン結晶性基板等に加わる熱履歴も１回の加熱・冷却で済むために、素子や接合部、樹脂基板に与える悪影響が小さくできる。特に圧電材料等を用いる場合には焦電による静電破壊等の予期せぬトラブルを防止できるという顕著な効果がある。
【００３４】
なお、上記実施例の説明では、樹脂容器の底部に実装基板が置かれ、上部に蓋基板が置かれるようにして図示したが、それに限られず、蓋基板を底部に置いてもよいことはもちろんである。また、積層接着した樹脂容器の端面を含むいずれの外面にも、外部への接続電極を設けることもできる。
【００３５】
また、上記実施例の説明では樹脂基材としてＢＴ樹脂を例として取り上げたが、本発明の技術的思想は、これに限られないことはもちろんであり、しかも、実装基板、中間基板及び蓋基板の樹脂材質を異なるようにすることもできる。例えば透光性の樹脂基材を部分的であれ用いることによって光信号を容器の外部から空洞内部に導入させるようにすることもできる。さらに、基板毎に樹脂材質を適宜に選択し、熱膨張率を最適に設定したり整合させることも可能である。
【００３６】
以上本発明の実施の形態及び実施例について説明してきたが、本発明はこれに限定されることなく請求項の記載の範囲内において各種の変形、変更が可能なことは当業者には自明であろう。
【００３７】
【発明の効果】
以上説明したように、本発明によれば、チップ素子を空洞の内部に収容する樹脂容器を三層の樹脂基板を重ねて一度の加熱圧着により接着する構成にしたので、生産性を向上させるとともに、電子部品の外形を小型化でき、低廉かつ信頼性に優れた電子部品を提供できるという効果がある。
【図面の簡単な説明】
【図１】本発明に係る電子部品の製造方法の実施の形態を説明するための一部を切り欠いた斜視図である。
【図２】同じく正断面図である。
【図３】本発明の実施の形態における製造工程を示すフローチャートである。
【図４】前記製造工程で用いる治具（押当板）の例を示した斜視図である。
【図５】本発明の詳細な実施例の構造を示す一部を切り欠いた斜視図である。
【図６】従来の電子部品の構造を示す斜視図である。
【符号の説明】
１  実装基板
２  チップ
３  バンプ
４  導体パターン
５  中間基板
６  窓
７  蓋基板
８  第一の接着層
９  第二の接着層
１０  樹脂容器
２０  押当板
【図１】
0003579740.tif 000002
【図２】
0003579740.tif 000003
【図３】
0003579740.tif 000004
【図４】
0003579740.tif 000005
【図５】
0003579740.tif 000006
【図６】
0003579740.tif 000007